【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
複数の半径方向のブレードと、これらのブレードの外先端部を連結するリング状翼形ディフューザーとを備えていることを特徴とするウインドタービン用のロータ。
【請求項２】
翼形ディフューザーはブレードの外先端部から下流に延びていることを特徴とする請求項１に記載のロータ。
【請求項３】
ブレードの外先端部はディフューザーの前縁部のところ或いはその近くでディフューザーに連結されていることを特徴とするいずれか１つの先行請求項に記載のロータ。
【請求項４】
翼形ディフューザーは、実質的に切頭円錐形のディフューザーを形成するようにブレードの外先端部から外方にテーパ状になっていることを特徴とするいずれか１つの先行請求項に記載のロータ。
【請求項５】
翼形ディフューザーの少なくとも一部はブレードの外先端部から上流に延びていることを特徴とする請求項１に記載のロータ。
【請求項６】
翼形ディフューザーは、上流端部から下流端部まで延びるにつれて半径方向外方にテーパ状になっていることを特徴とするいずれか１つの先行請求項に記載のロータ。
【請求項７】
翼形ディフューザーは、ブレードからの部分的に軸方向および部分的に半径方向の空気流を抑制するように成形されていることを特徴とするいずれか１つの先行請求項に記載のロータ。
【請求項８】
翼形ディフューザーは、ブレードの外先端部からの部分的に軸方向および部分的に半径方向の空気流を抑制し、且つ正常な作動中、前記空気流を実質的に周方向の空気流に転じるようになっていることを特徴とするいずれか１つの先行請求項に記載のロータ。
【請求項９】
ブレードはロータの回転軸線と直交する横方向のロータ平面に対して角度をなして傾斜されていることを特徴とするいずれか１つの先行請求項に記載のロータ。
【請求項１０】
傾斜角度はブレードの長さに沿って変化し得ることを特徴とする請求項９に記載のロータ。
【請求項１１】
各ブレードの傾斜角度はブレードの中間部分のところでブレードの外先端部のところより大きいことを特徴とする請求項９または請求項１０に記載のロータ。
【請求項１２】
ブレードはそれらの外先端部のところで横方向のロータ平面と実質的に平行であることを特徴とするいずれか１つの先行請求項に記載のロータ。
【請求項１３】
請求項１ないし１２のいずれか１つに記載のロータを備えているウインドタービンであって、ナセルと、回転軸線と直交する方向軸線のまわりのタービンおよびロータの回転を許容し、かくしてタービンを風の条件に応じて最適な方向に配向するようになっている取付け手段とを更に備えていることを特徴とするウインドタービン。
【請求項１４】
空気流の速度が所定の空気流速度より大きいときに、回転軸線が空気流の方向と平行でないようにロータを回転軸線のまわりに回転させるようになっているファーリング手段を更に備えていることを特徴とする請求項１３に記載のウインドタービン。
【請求項１５】
ファーリング手段は、空気流の速度の第１の低い範囲にわたってファーリングを行なわなく、空気流の速度の第２の高い範囲にわたって変化度合いのファーリングを行なうようになっている非線形のファーリング手段よりなることを特徴とする請求項１４に記載のウインドタービン。
【請求項１６】
ファーリング手段はディフューザーの下流に延びている少なくとも２つのテールフィンを備えていることを特徴とする請求項１４または１５に記載のウインドタービン。
【請求項１７】
２つのテールフィンは互いに直径方向に反対側に設けられていることを特徴とする請求項１６に記載のウインドタービン。
【請求項１８】
テールフィンのうちの一方は接線方向のヒンジ線のまわりに回転可能にヒンジで取付けされた可動のテールフィンであることを特徴とする請求項１６または１７に記載のウインドタービン。
【請求項１９】
可動のテールフィンは取付けブームに設けられており、ヒンジ線は取付けブームも回転するように取付けブームとナセルとの連結箇所で、可動のテールフィンのみが回転するように取付けブームと可動のテールフィンとの連結部で、或いは取付けブームの長さに沿った任意の箇所で設けられていることを特徴とする請求項１８に記載のウインドタービン。
【請求項２０】
テールフィンは、水平軸線のまわりに折れ曲がるフィンを生じる高い風を受けて水平軸線のまわりに回転することを特徴とする請求項１８または１９に記載のウインドタービン。
【請求項２１】
可動のテールフィンは、それがロータの回転軸線に対して静止攻撃角度で傾斜されるように、その前縁部がその後縁部よりもロータの回転軸線に近い静止位置へ付勢手段により付勢されていることを特徴とする請求項１８ないし２０いずれか１つに記載のウインドタービン。
【請求項２２】
付勢手段は非線形であることを特徴とする請求項２１に記載のウインドタービン。
【請求項２３】
付勢手段は、空気流の速度が所定の速度に達するまで可動のテールフィンを静止位置に保持するようになっており、更に、空気流の速度が所定の速度を超えて増大すると、可動のフィンが回転し、且つ攻撃角度が減少し、その結果、不釣合いの空力学的負荷がウインドタービンに生じ、ウインドタービンがファーリング位置までその取付け軸線のまわりに回転するようになっていることを特徴とする請求項２１または２２に記載のウインドタービン。
【請求項２４】
タービン、塔および取付け構造体内の調和共振により引起される作動振動を減少させるための手段を備えていることを特徴とする請求項１３ないし２３のいずれか１項に記載のウインドタービン。
【請求項２５】
ジェネレータおよびタービンにおける振動を塔から少なくとも部分的に隔離するようになっているナセル減衰装置を備えていることを特徴とする請求項２４に記載のウインドタービン。
【請求項２６】
表面に取付けるための取付けブラケットを備えており、これらのブラケットは粘弾性材料および構造材料のサンドイッチ構成を有していることを特徴とする請求項２４または５２５記載のウインドタービン。
【請求項２７】
取付け手段は管状であることを特徴とする請求項２４ないし２６のいずれか１項に記載のウインドタービン。
【請求項２８】
塔は、その半径方向内面と接触していない減少直径の諸部分を備えているゴムのような可撓性材料の１つまたはそれ以上のコアを収容しており、前記減径した諸部分が、塔の内面と接触している普通サイズの部分と交互になっており、かくして塔における振動を、これらが取付けブラケットに達する前に可撓性コアに散逸されたエネルギを介して吸収するのに役立つようになっていることを特徴とする請求項２６に記載のウインドタービン。
【請求項２９】
ゴムコアは、或る範囲の振動周波数の吸収により装置の共振周波数をタービン駆動周波数外に制御するようになっていることを特徴とする請求項２８に記載のウインドタービン。
【請求項３０】
減径された部分各々の横断面形状および長さが変化され、かくして或る範囲の振動周波数を取付け構造体から除去するように装置を調整することを特徴とする請求項２９に記載のウインドタービン。
【請求項３１】
サンドイッチ取付けブラケットは取付け手段のコアの設計を引き立たせ、且つナセルから生じる振動を抑制することを特徴とする請求項２４ないし３０のいずれか１項に記載のウインドタービン。
【請求項３２】
ナセルは振動周波数を除去するように設計されたブッシュを介してジェネレータを支持していることを特徴とする請求項３１に記載のウインドタービン。